(57)【要約】  本発明は、小袋の閉鎖アセンブリ、得られた小袋、ならびに関連する製造方法および製造装置に関する。本発明の閉鎖アセンブリは、小袋を閉じることができるように係合させる動作と、小袋を開けてその中身に触れることができるように引き離す動作とを交互に行うのに適合させた相補型の要素（110, 210）を備えた熱可塑性材料による二つの帯状部材（100, 200）から構成される。前記相補型の各要素（110, 210）はそれぞれの支持ウェブ（100, 200）により保持されている。本発明は、支持ウェブ（100, 200）の一方だけが、他方のウェブに対向するその内面側から突き出た筋状隆起（130, 230）を備えることを特徴とする。
2007513021.tif 000002
【特許請求の範囲】
【請求項１】
小袋の閉鎖を可能にするように連結する動作と、小袋を開けてその中身に触れるのを可能にするように連結を引き離す動作とを交互に行うように設計された相補型の要素（110，210）を備えた、熱可塑性材料による二つの突出部材（100，200）から構成され、かつ該相補型の各要素（110，210）がそれぞれの支持ウェブ（100，200）上に保持されている閉鎖アセンブリであって、支持ウェブ（100，200）の一方だけが、他方の支持ウェブに対向するその内面側から突き出た筋状隆起（130，230）を備えることを特徴とする閉鎖アセンブリ。
【請求項２】
前記他方の支持ウェブ（200，100）が、その外面から突き出た筋状隆起（230，130）を備えることを特徴とする請求項１に記載のアセンブリ。
【請求項３】
前記筋状隆起（130，230）が、小袋の中心に対して相補型の要素（110，210）より外側に位置する支持ウェブ（100，200）の領域に配置されていることを特徴とする請求項１または２のいずれかに記載のアセンブリ。
【請求項４】
前記筋状隆起（130，230）が相補型の要素（110，210）に対して平行に配置されていることを特徴とする請求項１から３のいずれかに記載のアセンブリ。
【請求項５】
雄型の閉鎖要素（110）とこれに相補関係にある雌型の閉鎖要素（220）とを備えることを特徴とする請求項１から４のいずれかに記載のアセンブリ。
【請求項６】
前記相補型の要素（110，210）が鉤状構造の形態のものであることを特徴とする請求項１から４のいずれかに記載のアセンブリ。
【請求項７】
前記相補型の要素が「ベルクロ」タイプのものであることを特徴とする請求項１から６のいずれかに記載のアセンブリ。
【請求項８】
前記支持ウェブ（100，200）が連結されてＵ字状の構造を形成していることを特徴とする請求項１から７のいずれかに記載のアセンブリ。
【請求項９】
前記支持ウェブ（100，200）は、互いに異なる幅のものであることを特徴とする請求項１から８のいずれかに記載のアセンブリ。
【請求項１０】
前記筋状隆起（130，230）が略三角形断面のものであることを特徴とする請求項１から９のいずれかに記載のアセンブリ。
【請求項１１】
前記筋状隆起（130，230）が略円弧状断面のものであることを特徴とする請求項１から９のいずれかに記載のアセンブリ。
【請求項１２】
小袋の製造に適したフィルムに取り付けるための、独立したアセンブリの形態で製造されることを特徴とする請求項１から１１のいずれかに記載のアセンブリ。
【請求項１３】
フィルム素材から直接製造されることを特徴とする請求項１から１１のいずれかに記載のアセンブリ。
【請求項１４】
請求項１から１３のいずれかに記載される閉鎖アセンブリを備える小袋。
【請求項１５】
請求項１から１２のいずれかに記載の閉鎖アセンブリをフィルムに取り付ける工程を備えることを特徴とする小袋の製造方法。
【請求項１６】
フィルムを供給する手段と、請求項１から１２のいずれかに記載の閉鎖アセンブリを供給する手段と、該閉鎖アセンブリをフィルムに取り付ける手段とを備えることを特徴とする小袋の製造装置。
【発明の詳細な説明】
【技術分野】
【０００１】
本発明は、必要に応じて複数回の引き続く開閉動作を可能にするように設計された閉鎖アセンブリを備えた小袋（sachet、サシェ）の分野に関する。
さらにより正確には、本発明は、小袋の閉鎖を可能にするように互いに連結させ、次いで小袋を開けてその中身に触れるのを可能にするように連結を引き離す動作が交互にできるように設計された、相補型の要素からなる熱可塑性材料による二つの突出部材を有する閉鎖アセンブリを利用した、このような小袋の製造に関する。
【背景技術】
【０００２】
一般に、前述の相補型要素は、どちらも帯状の薄片部材上に形成された、鉤状（フック状）の構造物または雄型と雌型の各要素から形成される。上述の構成に似た閉鎖アセンブリや小袋はすでに多数が提案されている。
【０００３】
添付の図１および２は、既存のデザインに係る公知閉鎖アセンブリの二種類の実例を示している。
添付の図１および２が示すのは、それぞれ相補型要素12, 22を保持している二つの支持ウェブ10，20を備えたアセンブリである。図１および２に示されている制限を意図しない例示によると、これらの相補型要素12，22はそれぞれ雄型および雌型の突出部材から構成される。
【０００４】
図１によれば、それぞれ14および24で示される長手方向の一連の筋状隆起が、両方のウェブ10，20の互いに対向する内面に、突出部材12，22より外側の位置で配置されている。
図２に示される閉鎖アセンブリは、支持ウェブ10，20の外面に同様の長手方向の一連の筋状隆起16，26を備えている。
【０００５】
これらの筋状隆起の機能の一つは、閉鎖アセンブリの開閉動作をコントロールするために支持ウェブ10，20の取り扱いを容易にすることである。このコントロールとは、相補型要素12，22を分離させるべく二つの突出部材を引き離す方向に力を加えることと、二つの要素12と22を連結させるべくこれらの突出部材を一体化させる方向に力を加えることである。これらの筋状隆起14，24，16，26は、実際、使用者の指を案内するために使用される。図１に示される態様に関しては、筋状隆起14，24は、閉鎖アセンブリを構成する二つの突出部材の間の接触領域を制限して、それによりそれらをフィルムに固定する間にそれらが融着する危険性を回避する機能も果たす。
【発明の開示】
【０００６】
これらの公知の閉鎖アセンブリはすでに有用な役目を果たしてきた。
しかし、それらは常に完全に満足できるものではない。
本発明の目的は、公知の閉鎖アセンブリを改善することである。
【０００７】
この目的は、本発明において、小袋の閉鎖を可能にするように連結する動作と、小袋を開けてその中身に触れるのを可能にするように連結を引き離す動作とを交互に行うように設計された相補型の要素を備えた、熱可塑性材料による二つの突出部材から構成された、小袋用閉鎖アセンブリであって、該相補型の各要素がそれぞれの支持ウェブ上に保持されている閉鎖アセンブリによって達成される。本発明の閉鎖アセンブリは、支持ウェブの一方だけが、他方の支持ウェブに対向する面である、その内面側から突き出た複数の筋状隆起を備えることを特徴とする。
【０００８】
本発明の別の有利な特徴によれば、他方の支持ウェブは、その外面側から突き出た複数の筋状隆起を備えている。
本発明はまた、このような閉鎖アセンブリによって創出された小袋、ならびにこのような小袋の製造方法および装置にも関する。
【発明を実施するための最良の形態】
【０００９】
本発明の他の特徴、目的および利点は、添付図面を参照した以下の詳細な説明を読むことによって明らかになろう。添付図面は限定されない例として提示したものである。
添付の図３は、本発明に係る閉鎖アセンブリを示し、この閉鎖アセンブリは二つの支持ウェブ100，200を備え、これらの支持ウェブは互いにほぼ平行に配置され、一方は雄型の閉鎖要素110、他方は相補関係にある雌型の閉鎖要素210をそれぞれ備えている。
【００１０】
このような閉鎖アセンブリの一般的な構造は、この分野の専門的な技術者にとってはよく知られているものであり、以下ではより詳しい説明はしない。
２つの支持ウェブ100，200のそれぞれは、要素110および210のそれぞれ反対側に配置される。
【００１１】
図３に示すように、本発明によれば、支持ウェブ100，200の一方だけが、他方の支持ウェブ100に対向するその内面側に、長手方向の筋状隆起230を何本か備えており、この筋状隆起が配置される支持ウェブ200の部分は、小袋の中心に対して突出部材要素110，210の外部となる位置である。
【００１２】
添付の図４に示す実施態様は、第二の支持ウェブ100も、その外面上に、長手方向の突き出た一連の筋状隆起130を有している点で、図３に示したものと異なる。
ここで、「長手方向」とは、筋状隆起130，230が、相補型要素110および210に対して平行に位置することを意味する。
【００１３】
好ましくは、閉鎖アセンブリ全体、すなわち、支持ウェブ100，200、相補型の要素110，210、および筋状隆起130，230が熱可塑性材料から作製され、非常に有利には押出により作製される。
【００１４】
図５に示す実施態様は、二つの筋状隆起の配置が反対になっている点で図４とは異なる。図５によれば、内面の筋状隆起130は雄型の要素を支持している支持ウェブ100の内面に配置され、外面の筋状隆起230は雌型の要素を支持している支持ウェブ200の外面に配置される。
【００１５】
図６に示す実施態様によると、相補型の要素110，210は鉤（フック）構造の形態をとる。この場合も、鉤状タイプの相補型要素に基づくこのような閉鎖アセンブリの一般的な構造はこの分野の専門的な技術者にはよく知られており、これ以上の詳細については説明しない。
【００１６】
図７に示す実施態様によると、二つの支持ウェブ100および200は、閉鎖アセンブリの内部に配置された連結用ウェブ150によって一体に連結され、Ｕ字型構造の形態となっている。閉鎖アセンブリの内部とは、支持ウェブ100，200が隆起した筋状隆起130，230を支持している領域とは反対側の領域を意味する。
【００１７】
最後に、添付の図８は、筋状隆起を備えた各支持ウェブが正確に７本の筋状隆起を有することを特徴とする、本発明の好ましい実施態様を示す。
限定されない一例として、三角形断面の一本の筋状隆起は、高さと底部幅がいずれも、10分の1 mm〜1 mmの程度である。そして、隣接する二本の隆起筋上部の間隔は、好ましくは0.5 mmから2 mmである。
【００１８】
筋状隆起130および230の本数、密度、大きさおよび断面形状は多くの異なる実施形態が可能である。それらは添付図面に示した例示のものに限定されない。特に、筋状隆起の断面形状は、図３〜６および８に示されるような略三角形であってもよいし、図７に示されるような略円弧状であってもよい。また、筋状隆起130，230は、図３に示されるように互いに部分的につながっていても、或いは図４〜８に示されるように、はっきり離間していてもよい。
【００１９】
さらに、ウェブの外面側に設ける筋状隆起は、もう一方のウェブに存在する筋状隆起に対して、筋状隆起の本数、密度、断面形状、および大きさに関して、互いに同一でも異なっていてもよい。
【００２０】
もちろん、本発明は、上述した具体的な実施方法に限定されるものではなく、本発明の技術思想の範囲内にとどまるいかなる変更例も包含する。
特に、本発明は、添付図面に示される実施方法にはいかなる意味でも限定されるものではない。
【００２１】
本発明係る閉鎖アセンブリは、例えば、小袋の製造に適したフィルムに取り付けるように設計された独立したアセンブリの形態で、押出成形により製造することができ、あるいはこのようなフィルムの素材から直接作るように設計してもよい。
【００２２】
本発明に係る閉鎖アセンブリは、筋状隆起130、230の存在のために、容易な取り扱いが可能となり、既存デザインのある種の閉鎖アセンブリに見られた、対向する２系列の筋状隆起間での接触により起こる食い込み（ロックアップ）の危険性がないという利点を有する。
【００２３】
本発明はまた、「ベルクロ（Ｒ）」タイプの相補型要素を備えたウインドウ部材にも適用可能である。
【図面の簡単な説明】
【００２４】
【図１】既存の設計技術に従った閉鎖アセンブリの断面を模式的に示す。
【図２】既存の設計技術に従った閉鎖アセンブリの断面を模式的に示す。
【図３】本発明に係る閉鎖アセンブリの同様な図である。
【図４】本発明に係る閉鎖アセンブリの別の実施変更例を模式的に示す。
【図５】本発明に係る閉鎖アセンブリの別の実施変更例を模式的に示す。
【図６】本発明に係る閉鎖アセンブリの別の実施変更例を模式的に示す。
【図７】本発明に係る閉鎖アセンブリの別の実施変更例を模式的に示す。
【図８】本発明に係る閉鎖アセンブリの別の実施変更例を模式的に示す。
【図１】
2007513021.tif 000003
【図２】
2007513021.tif 000004
【図３】
2007513021.tif 000005
【図４】
2007513021.tif 000006
【図５】
2007513021.tif 000007
【図６】
2007513021.tif 000008
【図７】
2007513021.tif 000009
【図８】
2007513021.tif 000010
【国際調査報告】
2007513021.tif 000011
2007513021.tif 000012
2007513021.tif 000013
2007513021.tif 000014
2007513021.tif 000015
2007513021.tif 000016